(57)【要約】【課題】ズーミング操作により測定領域を拡縮したときに、測定対象物までの距離に拘らず、常に、マーカー光を測定領域の外縁に一致させて投影し、そのマーカー光を外縁とする測定領域の温度を測定できるようにする。【解決手段】  測定対象物から放射される赤外線を集光する光学系（２）と、当該光学系で集光される赤外線をセンシングしてそのエネルギー強度に応じた電気信号を出力する赤外線センサ（３）と、前記光学系（２）を介して測定対象物の表面に測定領域（Ａｎ）の幅ないし大きさを示すマーカー光（Ｍｎ）を投影するマーカー用光源（５）とを具備し、前記光学系（２）に、測定対象物に向かって拡がる赤外線センサ（３）のセンシング視野角（δｎ）の角度とマーカー光の拡がり角度とを互いに一致させて、双方の角度を同時に同程度可変させるズームレンズ機構（６）を設けた。【選択図】図１
2011013188.tif 000002
【特許請求の範囲】
【請求項１】
測定対象物から放射される赤外線を集光する光学系と、当該光学系で集光される赤外線をセンシングしてそのエネルギー強度に応じた電気信号を出力する赤外線センサと、前記光学系を介して測定対象物の表面に測定領域の幅ないし大きさを示すマーカー光を投影するマーカー用光源とを具備した放射温度計において、
前記光学系に、測定対象物に向かって拡がる前記赤外線センサのセンシング視野角の角度と前記マーカー光の拡がり角度とを互いに略一致させて、双方の角度を同時に同程度可変させるズームレンズ機構が設けられていることを特徴とする放射温度計。
【請求項２】
前記ズームレンズ機構が、前記センシング視野角を可変調整する視野角調整レンズ系と、当該視野角調整レンズ系で集光された赤外線を実質的に一定光束径の平行光束又は一定集光角の集光光束にして前記赤外線センサに入射させる光束調整レンズ系とを備え、
前記マーカー用光源から投影されるマーカー光の投影光軸が、前記光束調整レンズ系と赤外線センサとの間で当該赤外線センサの測定光軸に軸合せされると共に、当該投影光軸上に、前記マーカー光を前記赤外線の平行光束の光束径に符合する幅の光束に整形し、または、前記マーカー光を前記赤外線の集光光束の集光角に符合する拡がり角度の光束に整形するマーカー光整形手段が配された請求項１記載の放射温度計。
【請求項３】
前記光束調整レンズ系により赤外線が集光光束とされた部分でその測定光軸に対し前記投影光軸が軸合せされ、
前記マーカー用光源がレーザ光を照射するレーザダイオードから成り、
前記マーカー光整形手段が、投影光軸上に設定された拡散基準点から前記レーザ光を前記集光角に略等しい角度で円錐面状に拡がるように回転走査させるレーザ走査装置を備えると共に、投影光軸及び測定光軸の交点から前記拡散基準点までの距離が、前記交点から赤外線の集光点までの距離に略等しく設定された請求項２記載の放射温度計。
【請求項４】
前記視野角調整レンズ系が、測定対象物から放射される赤外線を入射し、前記センシング視野角に応じた光束径の平行光束にして出射させる像側テレセントリック可変焦点レンズで成り、
前記光束調整レンズ系が、前記可変焦点レンズの動きに連動して、前記平行光束を予め設定された一定光束径の平行光束にして出射させるズームエキスパンダレンズと、当該レンズから出射された一定光束径の平行光束を赤外線センサに向って一定集光角で集光させる集光レンズから成る請求項３記載の放射温度計。
【請求項５】
前記光束調整レンズ系により赤外線が一定光束径の平行光束とされた部分でその測定光軸に対し前記投影光軸が軸合せされ、
前記マーカー用光源がレーザ光を照射するレーザダイオードから成り、
前記マーカー光整形手段が、前記レーザ光を赤外線の前記光束径に略等しい直径の円筒面状に回転走査させるレーザ走査装置を備えた請求項２記載の放射温度計。
【請求項６】
前記視野角調整レンズ系が、測定対象物から放射される赤外線を入射し、前記センシング視野角に応じた光束径の平行光束にして出射させる像側テレセントリック可変焦点レンズで成り、
前記光束調整レンズ系が、前記可変焦点レンズの動きに連動して、前記平行光束を予め設定された一定光束径の平行光束にして出射させるズームエキスパンダレンズで成る請求項５記載の放射温度計。
【発明の詳細な説明】
【技術分野】
【０００１】
本発明は、測定対象物から放射される赤外線を集光し、そのエネルギー強度に基づいて温度を検出すると同時に、測定対象物の表面に測定領域を示すマーカー光を投影する放射温度計に関するものである。
【背景技術】
【０００２】
市販の放射温度計は、その温度計から測定対象物までの距離（測定距離）Ｄに対する測定領域の直径（測定領域径、標的径）Ｓの比（ＤＳ比）で表す距離係数（ＦＯＶ）が、例えば１０：１、２０：１、８０：１等の如く一定に設定されている。
したがって、測定領域は、測定距離が遠くなればなるほど大きくなり、測定領域が大きくなると、より平均的な表面温度が得られるが、その表面状態(例えば、スケールがあるとか、水が付着しているなど)や、温度視路中に存在する水蒸気，ダスト、煙などの影響も受けやすくなって、正しい温度測定が困難となる。
【０００３】
また、測定領域が大きくなると、その測定領域が測定対象物以外の物にまで及んで正しい温度測定ができないおそれもあるから、放射温度計による温度の測定は、極力測定対象物に接近して行うのが基本とされているが、測定対象物あるいはその周辺から発せられる高熱の影響を受けるなどして測定対象物に接近することができない場合もあり、このような場合は、ＤＳ比が大きいタイプの放射温度計を採択使用するのが好ましいとされている。
【０００４】
しかし、測定対象物の大きさや、測定対象物までの距離は、状況に応じて様々に異なるから、ＤＳ比が一定に設定された市販の放射温度計は、状況の変化に対応して正確な温度測定を行うことができないという問題があった。
このような問題に鑑み、放射温度計の測定光学系に、熱放射エネルギーが放射される測定対象物上の測定領域の大きさ（ＤＳ比）を変更することができるズーミング機構を設けると共に、そのズーミング機構による測定領域の大きさの変化に応じて、測定領域を示すリング状のマーカー光（リング状のレーザマーカー）の大きさを変更する手段を設ける発明が提案されている（特許文献１参照）。
【０００５】
図５はこのような従来の放射温度計５１を示すもので、測定対象物から放射される赤外線を集光する測定光学系５２と、その測定光学系５２で集光される赤外線をセンシングしてそのエネルギー強度に応じた電気信号を出力する赤外線センサ５３と、測定対象物の表面に測定領域Ａｎに応じた環状のマーカー光Ｍｎを投影するマーカー光投影装置５４とを備えている。
測定光学系５２は、凹面反射鏡５５及び集光レンズ５６の位置を調整するズームレンズ機構を備え、望遠側（実線図示）から広角側（破線図示）まで視野角を調整できるようになっており、望遠側では視野角がマイナスとなり、広角側では視野角がプラスと成るようにレンズ設計されている。
【０００６】
マーカー光投影装置５４は、マーカー用光源５７となるレーザダイオードを備え、その光源から測定対象物に照射される投影光軸Ｚｐが、光学系５２の測定対象物側で赤外線の測定光軸Ｚｍに同軸合成されて成り、当該投影光軸Ｚｐに沿ってマーカー用光源５７から照射されたレーザ光を回転走査させることによりその軌跡を円錐面状に拡げる回転プリズム５８を備えている。
【０００７】
回転プリズム５８は、回転角に応じて厚さが周期的に変化し、回転中心から離れるほど厚くなる円板状に形成されており、回転中心から投影光軸Ｚｐまでの距離を調整することによりレーザ光の拡がり角を調整することができるようになっている。
そして、回転プリズム５８の回転に伴う厚さ変化及び屈折面の方向変化を利用して、その回転中心から投影光軸Ｚｐまでの距離に応じた所定の拡がり角でレーザ光が回転走査され、測定対象物の表面にリング状パターンのマーカー光が投影されるようになっている。
したがって、この回転プリズム５８の回転中心から投影光軸Ｚｐまでの位置を、測定光学系５２のズームレンズ機構に連動させてコントロールすればリング状パターンのマーカー光の直径を自動的に拡大縮小させることができる。
【０００８】
図６はこの放射温度計５１の測定領域Ａｎとマーカー光Ｍｎの関係を示す図であり、近距離Ｄ４と、予め設定された中間距離Ｄ５と、遠距離Ｄ６の夫々の場合に、望遠側と広角側の双方で測定領域Ａｎとマーカー光Ｍｎの重なり具合を調べた
これによれば、中間距離Ｄ５では、望遠側及び広角側のマーカー光ＭＴ及びＭＷは、それぞれの測定領域ＡＴ及びＡＷの外縁に正確に重なるので、ズーミング操作したときにマーカー光Ｍｎと測定領域Ａｎがずれることがない。
【０００９】
しかしながら、通常の場合、測定対象物からの距離を一定に保って測定することは不可能であり、近距離Ｄ４では、望遠側及び広角側とも測定領域ＡＴ及びＡＷが、それぞれのマーカー光ＭＴ及びＭＷの外側にはみ出し、また、遠距離Ｄ６では、望遠側及び広角側ともマーカー光ＭＴ及びＭＷは、それぞれの測定領域ＡＴ及びＡＷの外側に外れてしまう。
したがって、ズーミング操作を伴う従来の放射温度計５１においては、マーカー光Ｍｎを照射しても測定領域Ｍｎのおよその位置がわかるだけで、測定領域Ａｎの幅ないし大きさを知ることができず、測定光学系５２のズーミング操作したときに、マーカー光Ｍｎを測定領域Ａｎに一致させて拡大縮小させることができないという問題があった。
【先行技術文献】
【特許文献】
【００１０】
【特許文献１】特開平９−１４５４８３号公報
【発明の概要】
【発明が解決しようとする課題】
【００１１】
そこで本発明は、ズーミング操作により測定領域を拡大縮小したときに、測定対象物までの距離に拘らず、常に、マーカー光を測定領域の幅ないし大きさに一致させたまま拡大縮小させることができ、そのマーカー光で示される測定領域の温度を測定できるようにすることを技術的課題としている。
【課題を解決するための手段】
【００１２】
この課題を達成するために、請求項１の発明によれば、測定対象物から放射される赤外線を集光する光学系と、当該光学系で集光される赤外線をセンシングしてそのエネルギー強度に応じた電気信号を出力する赤外線センサと、前記光学系を介して測定対象物の表面に測定領域の幅ないし大きさを示すマーカー光を投影するマーカー用光源とを具備した放射温度計において、前記光学系に、測定対象物に向かって拡がる前記赤外線センサのセンシング視野角の角度と前記マーカー光の拡がり角度とを互いに略一致させて、双方の角度を同時に同程度可変させるズームレンズ機構が設けられていることを特徴としている。
【００１３】
請求項２によれば、そのズームレンズ機構は、センシング視野角を可変調整する視野角調整レンズ系と、当該視野角調整レンズ系で集光された赤外線を実質的に一定光束径の平行光束又は一定集光角の集光光束にして前記赤外線センサに入射させる光束調整レンズ系とを備え、前記マーカー用光源から投影されるマーカー光の投影光軸が、前記光束調整レンズ系と赤外線センサとの間で当該赤外線センサの測定光軸に軸合せされると共に、当該投影光軸上に、前記マーカー光を前記赤外線の平行光束の光束径に符合する幅の光束に整形し、または、前記マーカー光を前記赤外線の集光光束の集光角に符合する拡がり角度の光束に整形するマーカー光整形手段が配されている。
【００１４】
さらに、請求項３によれば、光束調整レンズ系により赤外線が集光光束とされた部分でその測定光軸に対し前記投影光軸が軸合せされ、前記マーカー用光源がレーザ光を照射するレーザダイオードから成り、前記マーカー光整形手段が、投影光軸上に設定された拡散基準点から前記レーザ光を前記集光角に略等しい角度で円錐面状に拡がるように回転走査させるレーザ走査装置を備えると共に、投影光軸及び測定光軸の交点から前記拡散基準点までの距離が、前記交点から赤外線の集光点までの距離に略等しく設定されている。
【００１５】
この場合に、各レンズ系は請求項４に記載されているように、視野角調整レンズ系が、測定対象物から放射される赤外線を入射し、前記センシング視野角に応じた光束径の平行光束にして出射させる像側テレセントリック可変焦点レンズで成り、光束調整レンズ系が、前記可変焦点レンズの動きに連動して、前記平行光束を予め設定された一定光束径の平行光束にして出射させるズームエキスパンダレンズと、当該レンズから出射された一定光束径の平行光束を赤外線センサに向って一定集光角で集光させる集光レンズから成る。
【００１６】
また、請求項５によれば、光束調整レンズ系により赤外線が一定光束径の平行光束とされた部分でその測定光軸に対し前記投影光軸が軸合せされている場合に、マーカー用光源がレーザ光を照射するレーザダイオードから成り、マーカー光整形手段が、前記レーザ光を赤外線の前記光束径に略等しい直径の円筒面状に回転走査させるレーザ走査装置を備えている。
【００１７】
この場合に、各レンズ系は請求項６に記載されているように、視野角調整レンズ系が、測定対象物から放射される赤外線を入射し、前記センシング視野角に応じた光束径の平行光束にして出射させる像側テレセントリック可変焦点レンズで成り、光束調整レンズ系が、前記可変焦点レンズの動きに連動して、前記平行光束を予め設定された一定光束径の平行光束にして出射させるズームエキスパンダレンズで成る。
【発明の効果】
【００１８】
本発明の放射温度計によれば、測定対象物から放射される赤外線を集光する光学系がズームレンズ機構を備えているので、ズーミング操作を行って赤外線センサのセンシング視野角を可変調整することにより、ＤＳ比を任意に調整することができる。
このとき、マーカー用光源から照射されたマーカー光は、ズームレンズ機構を備えた光学系を介して測定対象物に投影されている。
ズームレンズ機構は、センシング視野角とマーカー光の拡がり角度を互いに一致させた状態で双方の角度が同時に同程度可変されるので、ズーミング操作を行うことによりセンシング視野角が調整されて測定対象物の表面上の測定領域が拡大縮小されても、マーカー光はそのセンシング視野角に等しい拡がり角度で投影され、マーカー光の幅ないし大きさもこれに追従して拡大縮小され、マーカー光はその測定領域の外縁に一致した状態で投影される。
したがって、本発明によれば、ズーミング操作により測定領域を拡縮しても、測定対象物までの距離に拘らず、常に、マーカー光を測定領域の外縁に一致させて投影することができ、そのマーカー光を外縁とする測定領域の温度を測定することができる。
【図面の簡単な説明】
【００１９】
【図１】本発明に係る放射温度計の一例を示す図。
【図２】その外観を示す図。
【図３】測定領域とマーカー光の関係を示す図。
【図４】他の実施形態を示す図。
【図５】従来装置を示す図。
【図６】従来装置の測定領域とマーカー光の関係を示す図。
【発明を実施するための形態】
【００２０】
本例によれば、ズーミング操作により測定領域を拡縮したときに、測定対象物までの距離に拘らず、常に、マーカー光を測定領域の外縁に一致させて投影し、そのマーカー光を外縁とする測定領域の温度を測定できるようにするという目的を達成するために、測定対象物から放射される赤外線を集光する光学系と、当該光学系で集光される赤外線をセンシングしてそのエネルギー強度に応じた電気信号を出力する赤外線センサと、前記光学系を介して測定対象物の表面に測定領域の幅ないし大きさを示すマーカー光を投影するマーカー用光源とを具備し、前記光学系に、測定対象物に向かって拡がる前記赤外線センサのセンシング視野角の角度と前記マーカー光の拡がり角度とを互いに略一致させて、双方の角度を同時に同程度可変させるズームレンズ機構を設けた。
【実施例１】
【００２１】
図１及び図２は本発明に係る放射温度計１を示し、測定対象物から放射される赤外線を集光する光学系２と、当該光学系２で集光される赤外線をセンシングしてそのエネルギー強度に応じた電気信号を出力する赤外線センサ３と、その電気信号に基づいて測定対象物の温度を算出する演算装置４と、前記光学系２を介して測定対象物の表面に測定領域Ａｎの幅ないし大きさを示すマーカー光Ｍｎを投影するマーカー用光源５とを具備している。
【００２２】
光学系２には、測定対象物に向かって拡がる赤外線センサ３のセンシング視野角δｎの角度と前記マーカー光Ｍｎの拡がり角度とを互いに一致させて、双方の角度を同時に同程度可変させるズームレンズ機構６が設けられてなる。
このズームレンズ機構６は、前記センシング視野角δｎを可変調整する視野角調整レンズ系７と、当該視野角調整レンズ系７で集光された赤外線を実質的に一定集光角θの集光光束にして赤外線センサ３に入射させる光束調整レンズ系９とを備えている。
【００２３】
視野角調整レンズ系７は、測定対象物から放射された赤外線を入射し、センシング視野角δｎに応じた光束径φｎの平行光束Φｎとして出射させる像側テレセントリック可変焦点レンズ８で成る。
光束調整レンズ系９は、前記可変焦点レンズ８の動きに連動して、平行光束Φｎを予め設定された一定光束径の平行光束Φ０に調整して出射させるズームエキスパンダレンズ１０と、当該レンズ８から出射された一定光束径φ０の平行光束Φ０を赤外線センサ３に向う一定集光角θの集光光束Θにする集光レンズ１１から成る。
【００２４】
このズームレンズ機構６によれば、視野角調整レンズ系７のズーミング操作を行うことにより、望遠側（δ１）から広角側（δ３）までセンシング視野角δｎが調整されたときに、その視野角δｎに応じて集光される赤外線光束Δ１〜Δ３が入射され、当該レンズ系７から光束調整レンズ系９のズームエキスパンダレンズ１０に対し視野角（δ１〜δ３）に応じた光束径φｎ（φ１〜φ３）の平行光束Φｎ（Φ１〜Φ３）が入射される。
そして、ズームエキスパンダレンズ１０は、視野角調整レンズ系７の動きに連動してズーミング操作され、視野角δｎに応じて光束径が変化する平行光束Φｎ（Φ１〜Φ３）を常に一定光束径φ０の平行光束Φ０に変換する。
したがって、これを集光レンズ１１で集光させることにより赤外線は常に一定集光角θの集光光束Θとなって赤外線センサ３に入射され、その集光角θはセンシング視野角δｎが調整されても一定に維持される。
【００２５】
また、マーカー用光源５から投影されるマーカー光Ｍｎの投影光軸Ｚｐが、前記光束調整レンズ系９と赤外線センサ３との間で当該赤外線センサ３の測定光軸Ｚｍに軸合せされると共に、投影光軸Ｚｐ上には、マーカー光Ｍｎを赤外線の集光光束Θの集光角θに符合する拡がり角度εの光束Ｅに整形するマーカー光整形手段１２が配されている。
【００２６】
本例では、マーカー用光源５はレーザ光を照射するレーザダイオードが用いられ、マーカー光整形手段１２は、投影光軸Ｚｐ上に設定された拡散基準点Ｐ２からマーカー光となる前記レーザ光を集光角θに略等しい角度εで円錐面状に拡がるように回転走査させるレーザ走査装置１３が用いられており、投影光軸Ｚｐ及び測定光軸Ｚｍの交点Ｐ０から拡散基準点Ｐ２までの距離は、当該交点Ｐ０から赤外線の集光点Ｐ１までの距離に略等しく設定されている。
レーザ走査装置１３は任意の構成のものを用いることができるが、本例では、従来装置同様、回転プリズム１４を用いて、その回転に伴う厚さ変化及び屈折面の傾斜角度変化を利用してレーザ光を回転走査している。
【００２７】
これにより、マーカー光Ｍｎとなるレーザ光は、拡散基準点Ｐ２から集光角θに略等しい角度εで円錐面状に回転走査され、投影光軸Ｚｐに沿って拡がる光束Ｅとなって進行し、測定光軸Ｚｍに軸合せされると、レーザ光の軌跡が赤外線の集光光束Θの外周面により形成される円錐面に重なることとなる。
そして、赤外線の入射方向とは反対方向に進行し、集光レンズ１１を透過して光束径φ０の円筒状光束となって、光束調整レンズ系９のレンズ系１０−視野角調整レンズ系７を通り、測定対象物に対して、そのセンシング視野角δｎと等しい角度で投影されて、測定領域Ａｎの幅ないし大きさを示すリング状パターンが映し出される。
【００２８】
例えば、センシング視野角がδ１に設定されている場合、測定光軸Ｚｍに軸合せされたマーカー光Ｍ１は、ズームエキスパンダレンズ１０により光束径φ１の円筒光束に変換され、さらに、視野角調整レンズ系７により、センシング視野角δ１で拡がる円錐面状の光束となって、測定対象物から集光される赤外線光束Δ１の外周面により形成される円錐面に沿って投影される。
したがって、このマーカー光Ｍ１により、測定対象物までの距離にかかわらず、測定対象物の表面に、赤外線光束Δ１が放射される測定領域Ａ１の大きさに一致するリング状のパターンが映し出される。
【００２９】
ここで、ズーミング操作を行いセンシング視野角δ３に調整した場合、マーカー光Ｍ３は、ズームエキスパンダレンズ１０により光束径φ３の円筒光束に変換され、さらに、視野角調整レンズ系７により、センシング視野角δ３で拡がる円錐面状の光束となって、測定対象物から集光される赤外線光束Δ３の外周面により形成される円錐面に沿って投影される。
したがって、この場合も、マーカー光Ｍ３により、測定対象物までの距離にかかわらず、測定対象物の表面に、赤外線光束Δ３が放射される測定領域Ａ３の大きさに一致するリング状のパターンが映し出される。
このように、ズーミング操作により測定領域Ａｎを拡縮したときに、測定対象物までの距離にかかわらず、常に、マーカー光Ｍｎを測定領域Ａｎの幅ないし大きさに一致させて投影することができ、そのマーカー光Ｍｎで示された測定領域Ａｎの温度が測定される。
【００３０】
なお、本例の放射温度計１は、図２に示すように、そのグリップ１５に、マーカー用光源５を点灯すると同時に、赤外線センサ３及び演算装置４を起動させるトリガースイッチ１６が配されている。また、温度計１の本体上面にはセンシング視野角δｎを調整するズーム操作子１７が設けられ、その背面側には測定された温度を表示する液晶ディスプレイ１８が配されている。
【００３１】
以上が本発明に係る放射温度計の一構成例であって、次にその作用について説明する。
トリガースイッチ１６をオンすると、マーカー用光源５がオンされてマーカー光Ｍｎが投影されると同時に、投影されたマーカー光Ｍｎの内側の測定領域Ａｎから放射された赤外線が赤外線センサ３でセンシングされ、そのエネルギー強度に基づき演算装置４で測定対象物の温度が算出され、その結果が液晶ディスプレイ１８に表示される。
【００３２】
このとき、測定対象物から放射される赤外線は、光学系２の視野角調整レンズ系７により設定されたセンシング視野角δｎで集光されるので、そのセンシング視野角δｎと測定対象物までの距離で定まる測定領域Ａｎから、視野角調整レンズ系７及び光束調整レンズ系９を通り、赤外線センサ３に対して集光角θで集光される集光光束Θが形成され、測定領域Ａｎの温度が測定される。
そして、ズームレンズ機構６のズーミング操作を行うことにより、センシング視野角δｎを望遠側（δ１）から広角側（δ３）まで可変調整すると、その視野角δｎと測定対象物までの距離により測定領域Ａｎが拡大縮小されるが、光束調整レンズ系９を構成するズームエキスパンダレンズ１０からは常に一定光束径の平行光束Φ０が出射されるので、これを集光レンズ１１で集光させることにより、赤外線センサ３に向って常に一定集光角θで赤外線が集光される。
【００３３】
ここで、マーカー用光源５から照射されたレーザ光はレーザ走査装置１３で回転操作され、投影光軸Ｚｐ上の拡散基準点Ｐ２から前記集光角θに略等しい角度εで円錐面状に拡がる光束Ｅに整形される。
投影光軸Ｚｐ及び測定光軸Ｚｍの交点Ｐ０から拡散基準点Ｐ２までの距離は、当該交点Ｐ０から赤外線の集光点Ｐ１までの距離に略等しく設定されているので、角度εで円錐面状に拡がる光束Ｅは、測定光軸Ｚｍに軸合せされた時点で、角度θで集光される赤外線の集光光束Θの外周面で形成される円錐面に沿って集光レンズ１１に向う。
そして、赤外線の進行方向の反対側から、光束調整レンズ系９−視野角調整レンズ系７を通り、マーカー光Ｍｎがセンシング視野角δｎと等しい角度で拡がりながら、測定対象物から集光される赤外線光束Δｎの外周面で形成される円錐面に沿って投影されるので、測定対象物までの距離にかかわらず、測定対象物の表面に、測定領域Ａｎの幅ないし大きさに一致するリング状のパターンが映し出される。
【００３４】
図３は近距離Ｄ１、中距離Ｄ２、遠距離Ｄ３に測定対象物を置き、それぞれの場合に、望遠側（δ１）から広角側（δ３）までズーミング操作を行ったときの測定領域Ａｎとマーカー光Ｍｎの関係を示す図である。
センシング視野角δ１〜δ３を調整した場合でも、全ての距離Ｄ１〜Ｄ３において、マーカー光Ｍ１〜Ｍ３は測定領域Ａ１〜Ａ３の外縁に正確に重なっていることがわかる。
【００３５】
このように、本発明では、マーカー光Ｍｎにより映し出されたリング状パターンが測定領域Ａｎの幅ないし大きさに常に一致しているので、光学系２のズーミング操作に伴って測定領域Ａｎを拡大縮小したときに、測定対象物までの距離に拘らず、常に、マーカー光を測定領域Ａｎの幅ないし大きさに一致させたまま拡大縮小させることができ、測定対象物に投影したマーカー光Ｍｎにより映し出されるパターンを見て測定領域Ａｎを確認することができる。
【実施例２】
【００３６】
図４は本発明の他の実施形態を示し、図１との共通部分は同一符号を付して詳細説明を省略する。
本例の放射温度計２１は、光学系２２のズームレンズ機構２３が、測定対象物への視野角δｎを調整する視野角調整レンズ系７と、当該視野角調整レンズ７に連動して赤外線センサへ向う光束を実質的に一定光束径の平行光束に維持させる光束調整レンズ系２４とを備えており、その平行光束を集光レンズ２５により集光させてあるいは平行光束のまま、赤外線センサ３に入射させるようにしている。
【００３７】
視野角調整レンズ系７は、測定対象物から放射された赤外線を入射し、センシング視野角δｎに応じた光束径φｎの平行光束Φｎとして出射させる像側テレセントリック可変焦点レンズ８で成り、光束調整レンズ系２４は、前記可変焦点レンズ８の動きに連動して、前記平行光束Φｎを予め設定された一定光束径φ０の平行光束Φ０にして出射させるズームエキスパンダレンズ１０で構成されている。
【００３８】
これによれば、可変焦点レンズ８のズーミング操作を行うことにより、望遠側（δ１）から広角側（δ３）までセンシング視野角δｎを調整したときに、当該レンズ系７からズームエキスパンダレンズ１０に対し視野角（δ１〜δ３）に応じた光束径φｎ（φ１〜φ３）の平行光束Φｎ（Φ１〜Φ３）が入射される。
そして、ズームエキスパンダレンズ１０は前記可変焦点レンズ８に連動してズーミング操作され、視野角δｎに応じて光束径φｎが変化する平行光束Φｎ（Φ１〜Φ３）を常に一定光束径φ０の平行光束Φ０に変換する。
【００３９】
また、マーカー用光源５から投影されるマーカー光Ｍｎの投影光軸Ｚｐが、前記光束調整レンズ系２４と赤外線センサ３との間で当該赤外線センサ３の測定光軸Ｚｍに軸合せされると共に、当該投影光軸Ｚｐ上には、マーカー光Ｍｎを赤外線の平行光束Φ０の光束径φ０に略等しい外径の光束Ｆに整形するマーカー光整形手段２６が配されている。
【００４０】
本例においても、マーカー用光源５はレーザ光を照射するレーザダイオードから成り、また、マーカー光整形手段２６は、前記レーザ光を赤外線の前記光束径φ０に略等しい直径の円筒面状に回転走査させるレーザ走査装置２７を備えている。
このレーザ走査装置２７は、マーカー用光源５から投影光軸Ｚｐに沿って照射されたレーザ光を投影光軸Ｚｐと直交する方向に反射させて回転走査させる回転ミラー２８と、反射されたレーザ光を投影光軸Ｚｐと平行になる方向に反射させるリングミラー２９とを備え、レーザ光を赤外線の平行光束Φ０の光束径φ０に略等しい外径の円筒面状の光束Ｆに整形するようになっている。
【００４１】
これにより、マーカー光Ｍｎとなるレーザ光は、光束径φ０に略等しい外径の円筒面状に回転走査され、投影光軸Ｚｐに沿って進行し、測定光軸Ｚｍと軸合せされると、レーザ光の軌跡が赤外線の平行光束Φ０の外周面により形成される円筒面に重なることとなる。
そして、マーカー光Ｍｎとなるレーザ光は赤外線の入射方向とは反対方向に進行し、光束調整レンズ系２４−視野角調整レンズ系７を通過すると、マーカー光Ｍｎが測定対象物に対してセンシング視野角δｎと略等しい角度で投影されて、測定領域Ａｎの幅ないし大きさを示すリング状パターンが映し出される。
【００４２】
したがって、本例においても実施例１と同様、マーカー光Ｍｎにより映し出されたリング状パターンが測定領域Ａｎの幅ないし大きさに常に一致しているので、光学系２２のズーミング操作に伴って測定領域Ａｎを拡大縮小したときに、測定対象物までの距離に拘らず、常に、マーカー光を測定領域Ａｎの幅ないし大きさに一致させたまま拡大縮小させることができ、測定対象物に投影したマーカー光Ｍｎにより映し出されるパターンを見て測定領域Ａｎを確認することができる。
【００４３】
なお、マーカー光Ｍｎによりリング状のパターンを映し出す場合に限らず、例えば、複数本のレーザー光を所定の幅又は角度で照射させることにより測定領域Ａｎの左右両側、あるいは上下左右、さらに、測定領域Ａｎの外縁に所定間隔で複数のレーザポイントを映し出すパターンとしてもよい。
また、リング状パターンやレーザポイントのように測定領域Ａｎの外縁に照射されるものに限らず、測定領域に正確に重なる光スポットを形成する場合でもよい。この場合、マーカー用光源５として例えば高輝度ＬＥＤを用いて、マーカー光整形手段により、その光を集光角θに略等しい角度εで拡がる円錐状の拡散光束に整形し、あるいは、赤外線の平行光束Φ０の光束径φ０に略等しい外径の平行光束に整形すれば、そのマーカー光Ｍｎを投影することにより赤外線光束Δｎの断面形状と一致する円形パターンを映し出すことができる。
さらに、センシング視野角δｎの調整は、ズーム操作子１７を操作して、視野角調整レンズ系７及び光束調整レンズ系９を構成するレンズを手動で移動させる場合に限らず、小型モータなどを用いて電動で移動させてもよいことはもちろんである。
【産業上の利用可能性】
【００４４】
本発明は、距離に応じて測定領域を拡大縮小することのできる放射温度計の用途に適用できる。
【符号の説明】
【００４５】
１  放射温度計
２  光学系
３  赤外線センサ
５  マーカー用光源
６  ズームレンズ機構
７  視野角調整レンズ系
８  像側テレセントリック可変焦点レンズ
９  光束調整レンズ系
１０  ズームエキスパンダレンズ
１１  集光レンズ  
１２  マーカー光整形手段
１３  レーザ走査装置
δｎ  センシング視野角
Ａｎ  測定領域
Ｍｎ  マーカー光
Ｚｐ  投影光軸
Ｚｍ  測定光軸
【図１】
2011013188.tif 000003
【図２】
2011013188.tif 000004
【図３】
2011013188.tif 000005
【図４】
2011013188.tif 000006
【図５】
2011013188.tif 000007
【図６】
2011013188.tif 000008